(57)【要約】    【課題】  本発明は、停止モードから走行モードへ切り換える際に、ピンチローラをキャプスタンに圧着する前に、弛んだテープを巻き取るように構成したことにより、その後のテープ走行を安定化し、テープダメージ等の発生を防止することができる磁気記録再生装置を提供する。    【解決手段】  本磁気記録再生装置は、停止モードから記録再生モードに移行する過程で、ピンチローラ１３がキャプスタン１１ａに圧着する前に、キャプスタンモータ１１を駆動して巻き取りリール１０ｂを回転させ、テープ１０を所定量巻き取る。【選択図】      図５
2005209296.tif 000002
【特許請求の範囲】
【請求項１】
カセットから引き出されたテープを、キャプスタンとピンチローラとで挟持して搬送し、巻き取りリール台を回転させて前記カセット内に巻き取らせるテープ搬送手段と、前記ピンチローラを前記キャプスタンから離間させる停止モードと前記ピンチローラを前記キャプスタンに圧着してテープを搬送する走行モードとを切り換えるモード切換手段とを備える磁気記録再生装置において、
前記テープ搬送手段は、前記モード切換手段により停止モードから走行モードへ切り換える際に、前記ピンチローラを前記キャプスタンに圧着して前記テープを搬送する前に、前記キャプスタンを駆動するキャプスタンモータを駆動し、当該キャプスタンモータに連動する巻き取りリール台を回転させて、前記テープを所定量巻き取ることを特徴とする磁気記録再生装置。
【請求項２】
前記テープ搬送手段は、前記モード切換手段により停止モードから走行モードへ切り換える際に、前記キャプスタンモータを一定時間回転させることを特徴とする請求項１記載の磁気記録再生装置。
【請求項３】
前記テープ搬送手段は、前記カセットからテープを引き出して前記キャプスタンと前記ピンチローラとの間に案内する第１のガイドポストと、前記キャプスタンと前記ピンチローラにより送り出されたテープを前記カセット内の巻き取りリールに案内する第２のガイドポストとを備え、前記第１及び前記第２のガイドポストの少なくとも一方が、前記キャプスタンと前記第１のガイドポスト又は前記第２のガイドポストとの間のテープ面を前記テープの長手方向の中心線を中心としてねじるように配置されていることを特徴とする請求項１又は２記載の磁気記録再生装置。
【請求項４】
カセットから引き出されたテープを、キャプスタンとピンチローラとで挟持して搬送し、巻き取りリール台を回転させて前記カセット内に巻き取らせるテープ搬送手段と、前記ピンチローラを前記キャプスタンから離間させ、巻き取りリール台をブレーキにより制動してテンションレギュレータを非作動状態にする停止モードと前記ピンチローラを前記キャプスタンに圧着し、前記ブレーキを前記巻き取りリール台から離間させ、前記テンションレギュレータを作動状態にして前記テープを搬送する走行モードとを切り換えるモード切換手段とを備える磁気記録再生装置において、
前記テープ搬送手段は、前記モード切換手段により停止モードから走行モードへ切り換える際に、前記ピンチローラを前記キャプスタンに圧着し、前記テンションレギュレータの作動に先立って前記ブレーキを解除することを特徴とする磁気記録再生装置。
【請求項５】
前記テープ搬送手段は、前記モード切換手段により停止モードから走行モードへ切り換える際に、前記ピンチローラを前記キャプスタンに圧着する前に、前記キャプスタンを駆動するキャプスタンモータを駆動し、当該キャプスタンモータに連動する巻き取りリール台を回転させて、前記テープを所定量巻き取ることを特徴とする請求項４記載の磁気記録再生装置。
【請求項６】
前記テープ搬送手段は、前記カセットからテープを引き出して前記キャプスタンと前記ピンチローラとの間に案内する第１のガイドポストと、前記キャプスタンと前記ピンチローラにより送り出されたテープを前記カセット内の巻き取りリールに案内する第２のガイドポストとを備え、前記第１及び前記第２のガイドポストの少なくとも一方が、前記キャプスタンと前記第１のガイドポスト又は前記第２のガイドポストとの間のテープ面を前記テープの長手方向の中心線を中心としてねじるように配置されていることを特徴とする請求項４又は５記載の磁気記録再生装置。
【請求項７】
前記モード切換手段により切り換えられたモードを検出するモード検出手段を備えることを特徴とする請求項１乃至６のいずれか１項に記載の磁気記録再生装置。
【発明の詳細な説明】
【技術分野】
【０００１】
本発明は、例えば、ＶＴＲ（Videotape Recorder）等の磁気テープ方式による記録又は再生を行う磁気記録再生装置に関し、特に、ピンチローラ圧着時にモード切換を行う磁気記録再生装置に関する。
【背景技術】
【０００２】
従来のＶＴＲ（Videotape Recorder）等の磁気記録再生装置は、磁気テープ等を封入したカセットが装着される基台（シャーシ）上に、回転ヘッドシリンダ、カセット内のテープを引き出す案内ポスト（ガイドポスト）、及び磁気テープを搬送するためのキャプスタンとピンチローラが配置され、キャプスタンとピンチローラの前後に磁気テープの上下端を案内するフランジを備えた案内ローラ（テープガイド）が設置されると共に、カセット内に収納されている磁気テープが、ガイドポストによって供給リールから引き出され、回転ヘッドシリンダに巻付けられたのち、テープガイドのフランジで上下端を規制しながらキャプスタンとピンチローラとで挟持して搬送され、キャプスタンとピンチローラにより送り出された磁気テープがカセット内の巻き取りリールに巻き取られるように構成されたテープ走行機構を有し、記録再生動作を行う（例えば、特許文献１参照）。
【０００３】
また、磁気記録再生装置は、上記テープ走行機構と併せて、記録・再生・早送り・巻き戻し時にテープを搬送する記録再生（走行）モードと停止モードとをモード切換手段によって選択的に切り換えるように構成されており、記録再生モードでは、供給リールから引き出されたテープに所定のバックテンションを付与して、キャプスタンとピンチローラとでテープを挟持して搬送する一方、停止モードでは、テープ及び記録再生ヘッドの保護のためにテープテンションを緩め、ピンチローラをキャプスタンから離すように構成されている（例えば、特許文献２参照）。
【０００４】
上述した磁気記録再生装置では、停止モードから記録再生モードに移行する際に、モード切換手段によってピンチローラをキャプスタンに圧着し、テープにバックテンションがかかる記録再生位置にモード状態が移行した後に、キャプスタンが回転してテープ搬送が開始されるように制御されている。
【特許文献１】特開平２−１２６４３号公報
【特許文献２】特開平６−０８４２３４号公報
【発明の開示】
【発明が解決しようとする課題】
【０００５】
しかしながら、上記従来の磁気記録再生装置では、停止モードから記録再生モードに移行する際に、テープテンションが弛んで正常な走行時の位置からずれているテープをそのままキャプスタンとピンチローラとで挟持することによって、その後のテープ走行が不安定になることがあった。特に、停止モード状態において、外乱や姿勢差によってキャプスタンとピンチローラとの間に挟持されたテープが走行時の位置から大きくずれた場合には、ピンチローラの圧着後にテープが搬送されて正常な高さに復帰する過程で、テープに極端なシワがよったり、そのシワをキャプスタンとピンチローラで挟むことにより、いわゆるアイロンキズがテープに付いてしまうことがあった。
【０００６】
本発明は、上記問題に鑑みて成されたものであり、停止モードから走行モードへ切り換える際に、ピンチローラをキャプスタンに圧着する前に、弛んだテープを巻き取るように構成したことにより、その後のテープ走行を安定化し、テープダメージ等の発生を防止することができる磁気記録再生装置を提供することを目的とする。
【課題を解決するための手段】
【０００７】
上記目的を達成するために、請求項１記載の磁気記録再生装置は、カセットから引き出されたテープを、キャプスタンとピンチローラとで挟持して搬送し、巻き取りリール台を回転させて前記カセット内に巻き取らせるテープ搬送手段と、前記ピンチローラを前記キャプスタンから離間させる停止モードと前記ピンチローラを前記キャプスタンに圧着してテープを搬送する走行モードとを切り換えるモード切換手段とを備える磁気記録再生装置において、前記テープ搬送手段は、前記モード切換手段により停止モードから走行モードへ切り換える際に、前記ピンチローラを前記キャプスタンに圧着して前記テープを搬送する前に、前記キャプスタンを駆動するキャプスタンモータを駆動し、当該キャプスタンモータに連動する巻き取りリール台を回転させて、前記テープを所定量巻き取ることを特徴とする。
【０００８】
請求項２記載の磁気記録再生装置は、請求項１記載の磁気記録再生装置において、前記テープ搬送手段は、前記モード切換手段により停止モードから走行モードへ切り換える際に、前記キャプスタンモータを一定時間回転させることを特徴とする。
【０００９】
請求項３記載の磁気記録再生装置は、請求項１又は２記載の磁気記録再生装置において、前記テープ搬送手段は、前記カセットからテープを引き出して前記キャプスタンと前記ピンチローラとの間に案内する第１のガイドポストと、前記キャプスタンと前記ピンチローラにより送り出されたテープを前記カセット内の巻き取りリールに案内する第２のガイドポストとを備え、前記第１及び前記第２のガイドポストの少なくとも一方が、前記キャプスタンと前記第１のガイドポスト又は前記第２のガイドポストとの間のテープ面を前記テープの長手方向の中心線を中心としてねじるように配置されていることを特徴とする。
【００１０】
上記目的を達成するために、請求項４記載の磁気記録再生装置は、カセットから引き出されたテープを、キャプスタンとピンチローラとで挟持して搬送し、巻き取りリール台を回転させて前記カセット内に巻き取らせるテープ搬送手段と、前記ピンチローラを前記キャプスタンから離間し、巻き取りリール台をブレーキにより制動してテンションレギュレータを非作動状態にする停止モードと前記ピンチローラを前記キャプスタンに圧着し、前記ブレーキを前記巻き取りリール台から離間し、前記テンションレギュレータを作動状態にして前記テープを搬送する走行モードとを切り換えるモード切換手段とを備える磁気記録再生装置において、前記テープ搬送手段は、前記モード切換手段により停止モードから走行モードへ切り換える際に、前記ピンチローラを前記キャプスタンに圧着し、前記テンションレギュレータの作動に先立って前記ブレーキを解除することを特徴とする。
【００１１】
請求項５記載の磁気記録再生装置は、請求項４記載の磁気記録再生装置において、前記テープ搬送手段は、前記モード切換手段により停止モードから走行モードへ切り換える際に、前記ピンチローラを前記キャプスタンに圧着する前に、前記キャプスタンを駆動するキャプスタンモータを駆動し、当該キャプスタンモータに連動する巻き取りリール台を回転させて、前記テープを所定量巻き取ることを特徴とする。
【００１２】
請求項６記載の磁気記録再生装置は、請求項４又は５記載の磁気記録再生装置において、前記テープ搬送手段は、前記カセットからテープを引き出して前記キャプスタンと前記ピンチローラとの間に案内する第１のガイドポストと、前記キャプスタンと前記ピンチローラにより送り出されたテープを前記カセット内の巻き取りリールに案内する第２のガイドポストとを備え、前記第１及び前記第２のガイドポストの少なくとも一方が、前記キャプスタンと前記第１のガイドポスト又は前記第２のガイドポストとの間のテープ面を前記テープの長手方向の中心線を中心としてねじるように配置されていることを特徴とする。
【００１３】
請求項７記載の磁気記録再生装置は、請求項１乃至６のいずれか１項に記載の磁気記録再生装置において、前記モード切換手段により切り換えられたモードを検出するモード検出手段を備えることを特徴とする。
【発明の効果】
【００１４】
本発明によれば、停止モードから走行モードへ切り換える際に、ピンチローラをキャプスタンに圧着する前に、キャプスタンを駆動するキャプスタンモータを駆動し、当該キャプスタンモータに連動する巻き取りリール台を回転させ、テープを所定量巻き取って弛んだテープを巻き取るようにしたので、その後のテープ走行を安定化し、テープダメージ等の発生を防止する効果がある。
【００１５】
また、本発明によれば、停止モードから走行モードへ切り換える際に、ピンチローラをキャプスタンに圧着し、テンションレギュレータの作動に先立ってブレーキを解除するので、弛んだテープが巻き取られ、その後のテープ走行を安定化し、テープダメージ等の発生を防止する効果がある。
【発明を実施するための最良の形態】
【００１６】
以下、本発明の実施の形態を図面を参照して説明する。
【００１７】
図１及び図２は、本発明の実施の形態に係る磁気記録再生装置の内部構成の概略を示す透視図であり、図１は磁気記録再生装置が停止モード状態にある場合を示し、図２は磁気記録再生装置が記録再生モード状態にある場合を示す。
【００１８】
図１及び図２において、１は磁気記録再生装置の基台（シャーシ）であり、２はシャーシ１上に配置され、モータ及びヘッドを内蔵する記録再生ドラム（回転ヘッドシリンダ）であり、３及び４は記録再生ドラム２の出入り口に設けられ、テープ１０をガイドするガイドポストである。５は、シャーシ１上に軸５ａを中心として回動可能に配置されたテンションアームで、先端にテンションピン５ｂと軸５ｃが植立されている。
【００１９】
６はシャーシ１上の水平面に対して傾斜して固定された傾斜ガイドポストであり、テープ１０の走行面を変化させるものである。７及び８はそれぞれ軸７ａ及び軸８ａを中心として回転可能にシャーシ１上に配置された供給リール台及び巻き取りリール台である。供給リール台７及び巻き取りリール台８の外周にはギア部７ｂ及びギア部８ｂが形成されており、これらギア部７ｂ，８ｂと不図示のリール係合部との間には公知のトルクリミッタが介在されている。また、巻き取りリール台８には、ラチェット８ｃが上記リール係合部側に設けられている。
【００２０】
供給リール台７の外周であってギア部７ｂと異なる周面には、テンションブレーキ９が対向して配されている。テンションブレーキ９は、軸９ａを中心に回動自在に構成されるとともに、一端にテンションバネ２８が架けられ、軸９ａを中心に時計回りの方向に付勢されている。供給リール台７の外周にテンションブレーキ９が圧接されることによりテープ１０にバックテンションが付与される。
【００２１】
また、テンションブレーキ９上のカム溝９ｃとテンションアーム５の軸５ｃが係合している。テンションブレーキ９とテンションアーム５とは、テープテンションが強いときに、テンションアーム５がテープテンションの作用で軸５ａを中心に時計回りに回動し、テンションブレーキ９が軸９ａを中心に反時計回りに回動してブレーキ力を弱めるテンションサーボ機構を構成しており、一定のバックテンションをテープ１０に付与するように構成されている。
【００２２】
テープ１０は、供給リール台７上に載置された供給リール１０ａから供給され、テンションピン５ｂ、傾斜ガイドポスト６、ガイドポスト３、記録再生ドラム２、ガイドポスト４、及びガイドポスト２１の順に掛け渡されて、巻き取りリール台８上に載置された巻き取りリール１０ｂに巻き取られる。
【００２３】
１１はキャプスタンモータであり、その回転軸がキャプスタン１１ａを構成すると共に、そのロータ外周にはギア部１１ｂが形成されている。１２はシャーシ１上に軸１２ａを中心として回動可能に配置されたピンチローラーアームであり、先端にピンチローラ１３が回転可能に支持され、このピンチローラ１３とキャプスタン１１ａとによってテープ１０が挟持され、キャプスタン１１ａの回転によってテープ１０が搬送される。
【００２４】
ピンチローラーアーム１２は、アーム本体とサブアーム１２ｃとから成り、これらは軸１２ｄを中心に互いに独立して回転するように構成されるとともに、その間にピンチ圧着バネ１２ｂがかけられている。ピンチローラ１３をキャプスタン１１ａに圧着してテープ１０を搬送する際には、サブアーム１２ｃにより軸１２ｄを中心に時計方向に回転させることで、ピンチ圧着バネ１２ｂを介して所定の力でテープ１０を圧着することが可能である。また、ピンチローラーアーム１２は、図示しないバネにより常時反時計回りに戻るように付勢されている。
【００２５】
１４は、シャーシ１上に配置された上下２段のキャプスタンギア群である。キャプスタンギア群１４のうち大ギア部１４ａは、キャプスタンモータ１１のギア部１１ｂに係合され、小ギア部１４ｂにはタイミングベルト１５が巻装されている。
【００２６】
１６はシャーシ１上に軸１６ａを中心として回転可能に配置された上下２段のドライブギア群である。これらドライブギア群のうち大ギア部１６ｂには、タイミングベルト１５が巻装され、小ギア部１６ｃは首振りアーム１７に回転可能に支持された首振りギア１８に係合されている。
【００２７】
首振りアーム１７は、軸１６ａを中心として回動可能に設けられ、公知の機構でドライブギア１６の回転方向に追従して揺動され、首振りギア１８が供給リール台７のギア部７ｂと巻き取りリール台８のギア部８ｂとに選択的に係合される。
【００２８】
２１はキャプスタン１１ａとピンチローラ１３の出口に配置され、キャプスタン１１ａとピンチローラ１３により送り出されたテープ１０をカセット２２内の巻き取りリールにガイドするガイドポスト（第２のガイドポスト）である。ガイドポスト２１は、上下両端にフランジを有し、キャプスタン１１ａとピンチローラ１３から送り出されたテープ１０の上下端を該フランジにより規制する。２３は、巻き取りリール台８のラチェット８ｃに噛みあうように構成されたブレーキであり、戻しバネ２７が架けられ、反時計回りに付勢されている。
【００２９】
本磁気記録再生装置では、ピンチローラ１３をキャプスタン１１ａから離間させる停止モードと、記録・再生・早送り・巻き戻し時にピンチローラ１３をキャプスタンに圧着してテープを搬送する記録再生（走行）モードとを後述するモード切換機構により切り換えるように構成されている。
【００３０】
図３及び図４は、図１の磁気記録再生装置におけるモード切換機構の概略を示す透視図である。モード切換機構（モード切換手段）は、上述した磁気記録再生装置におけるリール・テープ走行系の下部に配されている。
【００３１】
図３及び図４において、２４はモード切換スライダであり、モード切換スライダ２４はシャーシ１に植立したガイドピン１９ａ，１９ｂ，１９ｃによりガイドされて左右に移動可能に構成されている。モード切換スライダ２４に設けられたピン２４ａは、シャーシ１上で回転可能なモード切換ギア２５に形成されたカム溝２５ａに係合されている。なお、モード切換ギア２５に植立したピンをモード切換スライダ２４に形成した長孔に係合させてもよい。
【００３２】
モード切換スライダ２４の一端の突部２４ｂは、テンションブレーキ９に設けられた軸９ｂと当接可能であり、他端の突部２４ｃはブレーキ２３の突部２３ａと当接可能である。また、軸２４を中心に、ピンチ圧着レバー２６が回転自在に取り付けられ、ピンチ圧着レバー２６の長穴２６ａは、シャーシ１上の軸１９ｃの段部にスライド自在に係合しており、モード切換スライダ２４の左右の移動に伴い、ピンチ圧着レバー２６が軸２４ｄを中心に回転するように構成されている。
【００３３】
２８はモード切換機構の動力源であるモードモータ、２９はモード切換ギア２５の回転位相を検出するモード検出ＳＷ（モード検出手段）であり、その出力はコントロール回路３０に送られる。コントロール回路３０は、モード検出ＳＷ２９と操作キー３１とからの情報に基づいて、記録再生ドラム２、キャプスタンモータ１１、及びモードモータ２８の回転を制御する。
【００３４】
次に、本磁気記録再生装置におけるモード切換動作を説明する。
【００３５】
図５は、停止モードから記録再生（走行）モードへのモード切換時の動作を示すフローチャートである。
【００３６】
まず、停止モード状態においては、モード切換ギア２５が図３に示す停止位置にあり、これに伴ってモード切換スライダ２４が右方に移動されている（ステップＳ７０１）。このモード切換スライダ２４の突部２４ｂによってテンションブレーキ９が押圧されて反時計方向に回動されると共に、テンションアーム５は時計回りに回動してテープパスが緩み、バックテンションが抜けた状態となっている。また、突部２４ｃによってブレーキ２３が時計回りに回動し、爪部２３ｂが巻き取りリール台８のラチェット８ｃにかみ合いリールの緩み止めをしている。ピンチ圧着レバー２６は、軸２４ｄを中心に時計回りに回動しており、ピンチローラーアーム１２と離れた状態にあり、ピンチローラ１３は、キャプスタン１１ａと離れた状態にある。また、云うまでもなく、記録再生ドラム２及びキャプスタンモータ１１は停止している。
【００３７】
ここで、操作キー３１の中の再生ボタン（不図示）が押されると（ステップＳ７０２）、コントロール回路３１により、最初に記録再生ドラム２が起動し（ステップＳ７０３）、当該記録再生ドラム２が所定の回転速度に達したことを不図示のドラム回転数検出手段で検出した後、キャプスタンモータ１１を反時計回りに所定の速度で一定時間回転させる（ステップＳ７０４）。このとき、前述したとおり、キャプスタンモータ１１の動力がタイミングベルト１５等を介して巻き取りリール台８のギア８ｂに伝達され、該巻き取りリール台８のギア８ｂが時計回りに回転する。巻き取りリール台８のギア８ｂの回転とほぼ同時に、モードモータ２８が起動され（ステップＳ７０５）、モード切換ギア２５が時計方向に回転を始め、図４に示すように、モード切換スライダ２４が左方に移動を開始する。
【００３８】
次に、ブレーキ２３を押していた突部２４ｃがブレーキ２３から離れ、ブレーキ２３の爪２３ｂが巻き取りリール１０ｂのラチェット８ｃから離れる。ブレーキ２３が解除されると同時に、巻き取りリール台８のカセットリールとの係合部が時計回りに回転し、テープ１０を巻き取る。このとき、ブレーキ２３の爪２３ｂが巻き取りリール台８のラチェット８ｃから離れるまでは、巻き取りリール台８のギア８ｂが回転を始めるものの、係合部側はブレーキ２３により回転せず、公知のリミッタ機構がスリップしている状態である。キャプスタンモータ１１は、テープ１０の巻き取りを所定量行い（ステップＳ７０６）、回転を一時停止する（ステップＳ７０７）。
【００３９】
次に、モード切換スライダ２４がさらに左方へ移動するのに伴い、軸２４ｄを中心に反時計回りに回動するピンチ圧着レバー２６がピンチローラーアーム１２のサブアーム１２ｃを押し、ピンチ圧着バネ１２ｂがチャージして、ピンチローラ１３をキャプスタン１１ａに圧着する記録再生モードへ移行する。さらに、モード切換スライダ２４の突部２４ｂが、テンションブレーキ９の軸９ｂから離れ、テンションブレーキ９が供給リール台７に圧接し、テンションアーム５が反時計回りに回転してテープパスを張り、バックテンションがかかる状態に移行し、完全な記録再生位置となる（ステップＳ７０８）。
【００４０】
モード検出ＳＷ２９によりモード切換ギア２５が記録再生位置にあることを検出すると（ステップＳ７０９）、モードモータ２８を停止させるとともに（ステップＳ７１０）、再度キャプスタンモータ１１を起動して、ピンチ圧着状態での通常のテープ搬送を開始する（ステップＳ７１１）。
【００４１】
このように、停止モードから記録再生モードに移行することで、ピンチローラ１３をキャプスタン１１ａに圧着させる前に、巻き取りリール台６を回転させることにより、テープ１０が巻き取りリール１０ｂに所定量巻き取られ、弛みがとられたテープパスに対してピンチローラ１３が圧着してテープ搬送を開始することとなり、起動時のテープ挙動が安定し、テープの上下動やダメージの発生を防ぐことが可能となる。
【００４２】
図６及び図７は、磁気記録再生装置におけるキャプスタン１１ａ近傍のテープパスの状態を示した拡大図である。なお、同図ではピンチローラ１３は省略されている。図６は、テープが緩みなくテープパスを形成している状態にあり、ピンチローラ１３をキャプスタン１１ａに圧着してテープ１０を搬送する記録再生モード状態を示す。図７は、テープが緩んでいる停止モード状態を示したものである。
【００４３】
本実施の形態におけるテープパスでは、キャプスタン１１ａと記録再生ドラム２の間に配置されたガイドポスト４（第１のガイドポスト）と、キャプスタン１１ａとの間においてテープ１０をねじることによりテープパスの小型化を図っている。
【００４４】
図６に示すように、ガイドポスト４のテープ離脱線１０ｄとキャプスタン１１ａのテープ入射線１０ｃを結ぶテープ中心線１０ｂを中心として、矢印１０ａの方向にねじった位置にガイドポスト４の回転中心軸を設定することにより、テープ面の傾きを変換するための固定された傾斜ガイドポストを設けずに小型のテープパスを実現したものである。このようなねじりを利用したテープパスの場合、テープの上下端におけるテープテンションが高く、テープ中心線１０ｂの近傍ではテープテンションが低い分布となることから、通常の傾斜ガイドポストを使用してテープ面の傾きを変換するテープパスに比べてテープテンションの分布が異なり、テープ走行の挙動が独自の傾向を示すものである。特に、ねじりを設定するガイドポスト４の片側がキャプスタン１１ａである場合、前述したテープの上下動、ダメージの発生について注意が必要である。
【００４５】
図７に示すように、停止モード状態でテープ１０のテンションを緩めたことにより、ねじったテープパスが弛んだ場合には、テープ１０のテープテンションの分布が特異になるため、テープ１０がキャプスタン１１ａで傾いたりしやすくなる。そのため、そのままピンチローラ１３を圧着してテープ走行を開始した場合、上述した問題が発生する危険性があるが、本実施の形態では、ピンチローラ１３をキャプスタン１１ａに圧着する前に弛んだテープ１０を巻き取り、図６に示す状態になってからピンチローラ１３を圧着するので、上述した問題を防ぐことができる。
【００４６】
本実施の形態では、具体的な巻き取り量を示すと以下のようになる。
【００４７】
テープ弛み量をL、Lの巻き取りに必要なリール回転角度をθ、カセットリールハブ直径をDとすれば、
θ＝２Ｌ／Ｄ  ［ｒａｄ］
である。キャプスタン１１ａから巻き取りリール台８までの減速比をδとすれば、巻き取りリール台８をθ回転させるのに必要なキャプスタン回転角θcapは、
θcap＝δ・θ
である。
【００４８】
また、記録再生テープスピードをＶ、キャプスタン軸径をｄとすれば、１倍速（記録再生速度Ｖ）でキャプスタン１１ａを駆動したときに、θcap回転させるのに必要な時間ｔは、
ｔ＝θcap・ｄ／（２・Ｖ）  ［ｓｅｃ］
である。本実施の形態（民生用ＤＶＣフォーマット）の場合、Ｌ＝５、Ｄ＝１１．７、δ＝２、Ｖ＝１８．８、ｄ＝２より、
θ≒５０  ［度］
θcap≒１００  ［度］
ｔ≒０．１  ［秒］
となる。従って、本実施の形態の場合、停止モードから記録再生モードに移行するときに、キャプスタン１１ａを記録再生速度（１倍速）で０．１秒間回転させれば、余分にテープを送ってしまうことなく、テープ弛みを巻き取ることが可能である。なお、これは、他のキャプスタン回転速度と、時間の組み合わせを選択してもよいことは、云うまでもない。
【００４９】
上記実施の形態によれば、停止モードから記録再生モードに移行する過程で、ピンチローラ１３がキャプスタン１１ａに圧着する前に、キャプスタンモータ１１を駆動して巻き取りリール台８を回転させるように構成したので、テープ弛みを巻き取ることが可能となり、その後のテープ走行を安定化し、テープダメージ等の発生を防止することができる。
【００５０】
他の実施の形態として、モードモータ２８が回転して、ピンチローラ１３をキャプスタン１１ａから離間し、巻き取りリール台８をブレーキ２３により制動してテンションブレーキ９（テンションレギュレータ）をＯＦＦ（非作動状態）にする停止モード状態からピンチローラ１３をキャプスタン１１ａに圧着し、ブレーキ２３を巻き取りリール台８から離間し、テンションブレーキ９をＯＮ（作動状態）にしてテープ１０を搬送する記録再生（早送り・巻き戻し）モード状態に移行する過程で、巻き取りリール１０ｂのブレーキ２３が解除された後、テンションブレーキ９がＯＮされるように構成され、これにより、モード切換の間にキャプスタンモータ１１を所定量回転させるだけで、モード切換時間を延ばすことなくテープの弛みをとることができるが、もちろん、モードを更に増やし、ピンチローラ１３とテンションブレーキ９がＯＦＦの状態で、巻き取りリール１０ｂのブレーキ２３を解除した位置を別途設定して、モード検出ＳＷ２９で検出して弛み取り動作を行うことも可能である。
【００５１】
また、停止モードから記録再生モードへのモード切換過程において、キャプスタンモータ１１を回したままにしても、テープ１０の弛みを除去する効果に変わりはないが、このような場合、ピンチローラ圧着と同時にテープ１０が搬送されるために、テープ弛みが取れた後、不必要にテープを送ってしまうこととなり、記録や再生が始まる位置のずれが大きくなるので、注意が必要である。
【００５２】
図１には、停止モード状態でテープパスが緩んでいる状態を示したが、テープ緩み量は多くても５ｍｍ程度である。このテープ弛みを巻き取る場合を考えてみると、キャプスタン１１ａを一定速度で一定時間駆動したときは、巻き取りリール１０ｂの巻径によってテープの巻き取り量が異なってくる。図１に示した状態は、テープの巻き始めであって、巻き取りリール１０ｂにはテープがほとんど巻かれていない状態である。この状態が、リールの回転量に対するテープ巻き取り量が最も少ないので、この条件で弛みを巻き取りきれるように、キャプスタン１１ａの回転を設定すればよい。
【図面の簡単な説明】
【００５３】
【図１】本発明の実施の形態に係る磁気記録再生装置が停止モード状態にある場合の内部構成の概略を示す透視図である。
【図２】図１の磁気記録再生装置が記録再生モード状態にある場合の内部構成の概略を示す透視図である。
【図３】停止モード状態時の磁気記録再生装置におけるモード切換機構の概略を示す透視図である。
【図４】記録再生モード状態時の磁気記録再生装置におけるモード切換機構の概略を示す透視図である。
【図５】磁気記録再生装置における停止モード状態から記録再生モード状態への移行動作を示すフローチャートである。
【図６】磁気記録再生装置におけるキャプスタン近傍のテープパスの状態を示す拡大図である。
【図７】磁気記録再生装置が停止モード状態にある場合のキャプスタン近傍のテープパスの状態を示す拡大図である。
【符号の説明】
【００５４】
１  シャーシ
３，４，２１  ガイドポスト
９  テンションブレーキ
１０  テープ
１１  キャプスタンモータ
１１ａ  キャプスタン
１３  ピンチローラ
２３  ブレーキ
２４  モード切換スライダ
２９  モード検出ＳＷ
３０  コントロール回路
３１  操作キー
【図１】
2005209296.tif 000003
【図２】
2005209296.tif 000004
【図３】
2005209296.tif 000005
【図４】
2005209296.tif 000006
【図５】
2005209296.tif 000007
【図６】
2005209296.tif 000008
【図７】
2005209296.tif 000009